(57)【要約】【課題】堤防の堤内地側法面を迅速にシートで覆って且つ簡単に固定することができ、その結果、河川や海の急激な水位上昇による越流にも対応することが可能である堤防補強装置及び堤防補強方法を提供する。【解決手段】堤防１の堤外地側法面５，天端６及び堤内地側法面７を覆うシート１１と、堤外地側法尻８に堤防１の長手方向に沿って設けられてシート１１を収納するＵ字溝１２と、Ｕ字溝１２からシート１１を引き出すウインチ１４を備えている。円柱状に巻かれた状態でＵ字溝１２に収納されるシート１１の一方の端部１１ａは、支持ピン１１ｃ及び支持台１３から成る連結機構を介してＵ字溝１２に連結固定されている。ウインチ１４は、堤外地側法面５，天端６及び堤内地側法面７を覆った状態のシート１１の他方の端部１１ｂを堤内地４上で固定する固定部としても機能する。【選択図】図１
2018168571.tif 000002
【特許請求の範囲】
【請求項１】
堤防の法尻から天端までのいずれかの部位に一端が固定された状態で配置され、前記堤内地側法面を覆うことが可能なシートと、
前記シートの前記一端が位置する部位に設けられて該シートを収納するシート収納部と、
前記シートが引き出された際、前記シートの他端を固定する固定部を備えている堤防補強装置。
【請求項２】
前記シートの前記一端と前記シート収納部とを連結する連結機構を備えている請求項１に記載の堤防補強装置。
【請求項３】
前記シート収納部から前記シートを引き出すシート駆動源を備え、該シート駆動源が前記シートの前記他方の端部を固定する前記固定部を兼ねている請求項１又は２に記載の堤防補強装置。
【請求項４】
前記シート収納部から前記シートを引き出す際、該シートに引き戻し方向の引張力を付与する引張力付与部を備えている請求項１〜３のいずれか一つの項に記載の堤防補強装置。
【請求項５】
前記シートを前記堤防の法面及び天端に沿って展開させる密封機構を備えている請求項１〜４のいずれか一つの項に記載の堤防補強装置。
【請求項６】
前記シートを複数枚備え、前記複数枚のシートは、前記堤防の長手方向に並べて配置されて、前記シート収納部から個別に引き出されて展開する請求項１〜５のいずれか一つの項に記載の堤防補強装置。
【発明の詳細な説明】
【技術分野】
【０００１】
本発明は、河川や海の水位上昇による氾濫が生じる虞がある際に、洪水氾濫から住居や農地のある地域を守る堤防が決壊するのを防ぐのに用いられる堤防補強装置に関するものである。
【背景技術】
【０００２】
住居や農地のある地域を洪水氾濫から守る堤防において、河川や海の水が流れている側を堤外地、住居や農地のある側を堤内地と呼び、堤外地側の斜面を堤外地側法面、堤内地側の斜面を堤内地側法面と呼ぶ。また、両法面間の平坦な領域を天端、両法面の各最下端を法尻と呼ぶ。
【０００３】
通常、堤防の堤外地側法面は、コンクリートブロック等で護岸され、一方、堤内地側法面は、芝等を生やすことで法面表面の崩落を防いでいる。
【０００４】
このような堤防が、河川や海の水位上昇による氾濫が生じた際に決壊するプロセスは以下の通りである。
まず、堤防に河川や海の水位上昇による越流が発生し、住居や農地のある堤内地側法面が侵食される。
続いて、堤内地側法尻の洗掘が始まり、この法尻の洗掘が進むと、この洗掘部分に落ち込む流れが生じて洗掘が拡大する。
そして、この洗掘の拡大により堤内地側法面の崩壊が継続して発生し、天端が崩落するのに続いて堤防全体が決壊する。
【０００５】
つまり、氾濫洪水の際に堤防が決壊するのを回避するには、越流による堤内地側法面の侵食及びこれに続く堤内地側法尻の洗掘を防ぐことが最も重要である。
このような越流による堤内地側法面の侵食及び堤内地側法尻の洗掘を確実に防ぐためには、堤外地側法面と同様に堤内地側法面もコンクリートブロック等で護岸することが望ましいが、施工が大掛かりになる分だけ護岸費用が嵩んでしまう。
【０００６】
従来において、護岸の施工費用を少なく抑えつつ、越流による堤内地側法面の侵食及び堤内地側法尻の洗掘を防ぐ手立てとしては、例えば、特許文献１に記載された堤防補強方法がある。
【０００７】
この堤防補強方法では、堤防の堤外地側法面，天端及び堤内地側法面をシートで覆い、このシートの両側部の複数個所を両法面及び天端に杭等で固定するようにしている。
【０００８】
この堤防補強方法において、堤防に河川や海の水位上昇による越流が発生した場合、堤防の堤外地側法面，天端及び堤内地側法面を覆った状態で複数の杭等で固定されるシートが、上記越流による堤内地側法面の侵食及び堤内地側法尻の洗掘を阻止するので、氾濫洪水の際に堤防が決壊するのを回避することができる。
【先行技術文献】
【特許文献】
【０００９】
【特許文献１】特開２０１１−０４２９８３号公報
【発明の概要】
【発明が解決しようとする課題】
【００１０】
ところが、上記した堤防補強方法では、護岸の施工費用を少なく抑えたうえで、越流による堤内地側法面の侵食及び堤内地側法尻の洗掘を阻止して、氾濫洪水時に堤防が決壊するのを回避することができるものの、シートを堤防の場所まで搬送して堤外地側法面，天端及び堤内地側法面で展開する作業、及び、堤防で展開させたシートを複数個所で固定する作業に多くの時間がかかってしまい、河川や海の急激な水位上昇による越流に対応できない虞があるという問題があり、この問題を解決することが従来の課題となっている。
【００１１】
本発明は、上記したような従来の課題を解決するためになされたもので、堤防の堤内地側法面を迅速にシートで覆って且つ簡単に固定することができ、その結果、河川や海の急激な水位上昇による越流にも対応することが可能である堤防補強装置を提供することを目的としている。
【課題を解決するための手段】
【００１２】
本発明の第１の態様は、堤防の法尻から天端までのいずれかの部位に一端が固定された状態で配置され、前記堤内地側法面を覆うことが可能なシートと、前記シートの前記一端が位置する部位に設けられて該シートを収納するシート収納部と、前記シートが引き出された際、前記シートの他端を固定する固定部を備えている構成としている。
【００１３】
本発明の第２の態様は、前記シートの前記一端と前記シート収納部とを連結する連結機構を備えている構成としている。
【００１４】
本発明の第３の態様は、前記シート収納部から前記シートを引き出すシート駆動源を備え、該シート駆動源が前記シートの前記他方の端部を固定する前記固定部を兼ねている構成としている。
【００１５】
本発明の第４の態様は、前記シート収納部から前記シートを引き出す際、該シートに引き戻し方向の引張力を付与する引張力付与部を備えている構成としている。
【００１６】
本発明の第５の態様は、前記シートを前記堤防の法面及び天端に沿って展開させる密封機構を備えている構成としている。
【００１７】
本発明の第６の態様は、前記シートを複数枚備え、前記複数枚のシートは、前記堤防の長手方向に並べて配置されて、前記シート収納部から個別に引き出されて展開する構成としている。
【発明の効果】
【００１８】
本発明に係る堤防補強装置によれば、堤防の堤内地側法面を迅速にシートで覆って且つ簡単に固定することができ、その結果、河川や海の急激な水位上昇による越流にも対応することが可能であるという非常に優れた効果がもたらされる。
【図面の簡単な説明】
【００１９】
【図１】本発明の一実施形態に係る堤防補強装置により補強した堤防を示す堤外地側からの斜視説明図である。
【図２】図１に示す補強状態にある堤防の堤内地側からの斜視説明図である。
【図３】図１の堤防補強装置により補強していない堤防を示す堤外地側からの斜視説明図である。
【図４】図１における堤防補強装置のシート収納部を拡大して示すシート収納状態の断面説明図（ａ），シート収納部からシートを引き出し初めた状態の断面説明図（ｂ）及びシート収納部からシートを引き出し終わった状態の断面説明図（ｃ）である。
【図５】本発明の他の実施形態に係る堤防補強装置のシート収納部を拡大して示すシート収納部からシートを引き出し終わった状態の断面説明図である。
【図６】本発明のさらに他の実施形態に係る堤防補強装置のシート収納部を拡大して示すシート収納状態の断面説明図（ａ）及びシート収納部からシートを引き出し終わった状態の断面説明図（ｂ）である。
【図７】本発明のさらに他の実施形態に係る堤防補強装置により補強した堤防を示す堤外地側からの斜視説明図である。
【図８】本発明のさらに他の実施形態に係る堤防補強装置により補強した堤防を示す堤外地側からの斜視説明図である。
【図９】図８における堤防補強装置のシート収納部を拡大して示すシート収納状態の断面説明図（ａ）及びシート収納部からシートを引き出し終わった状態の断面説明図（ｂ）である。
【発明を実施するための形態】
【００２０】
以下、本発明の実施形態を図面に基づいて説明する。
図１〜図４は、本発明の一実施形態に係る堤防補強装置を示している。
【００２１】
図１及び図２に示すように、この堤防補強装置１０は、堤防１の堤外地側法面５，天端６及び堤内地側法面７を連続して覆うシート１１と、堤外地側法尻８に堤防１の長手方向に沿って設けられてシート１１を収納するＵ字溝（シート収納部）１２を備えている。なお、シート収納部はＵ字溝１２に限定されるものではなく、建機等を用いて掘った溝をシート収納部としてもよい。
【００２２】
シート１１は、堤防１を覆う必要が生じるまでの段階において、図３及び図４（ａ）に示すように、開閉式の複数の蓋１２ａ（図１及び図２では省略）で閉塞されるＵ字溝１２に円柱状に巻かれた状態で収納されるようになっている。このシート１１には、合成樹脂製の遮水シートを用いることが望ましく、堤防１を弛みなく覆い得る弾性を有する遮水シートを用いることがより望ましい。
【００２３】
この場合、シート１１における堤外地３及び堤内地４を結ぶ長さ方向（堤内外地方向）の一方の端部（一端）１１ａ側には、支持ピン１１ｃが配置されており、Ｕ字溝１２には、支持ピン１１ｃを両側（片側のみ図示）から支える支持台１３が配置されており、シート１１の一方の端部１１ａは、支持ピン１１ｃ及び支持台１３から成る連結機構を介してＵ字溝１２に連結されている。つまり、シート１１の一方の端部１１ａはＵ字溝１２に固定されている。
【００２４】
また、この堤防補強装置１０は、Ｕ字溝１２からシート１１を引き出すシート駆動源としてのウインチ１４を備えており、このウインチ１４は、シート１１における他方の端部（他端）１１ｂの幅に合わせて２台配置されている。このウインチ１４のワイヤ１４ａの先端にはフック１４ｂが設けられており、シート１１における長さ方向の他方の端部１１ｂには、図４（ｂ）に示すように、ワイヤ１４ａのフック１４ｂを係止して接続する係止孔１１ｄが設けられている。なお、Ｕ字溝１２からシート１１を引き出すシート駆動源は、ウインチ１４に限定されることはなく、ウインチ１４の台数も２台に限定されない。
【００２５】
そして、このウインチ１４は、堤外地側法面５，天端６及び堤内地側法面７を連続して覆った状態のシート１１における他方の端部１１ｂを堤内地４上で固定する固定部としても機能するようになっている。
【００２６】
さらに、この堤防補強装置１０は、図４（ｃ）にも示すように、シート１１の一方の端部１１ａと支持ピン１１ｃの間に配置した引張力付与部１５及び堤内地側法面７の法尻９に配置したシート押さえ１６から成る密封機構を備えている。
【００２７】
引張力付与部１５は、渦巻きばね等を内蔵してシート１１に巻き取り方向（引き戻し方向；図４（ｃ）矢印方向）の引張力を常時付与するものであり、一方、シート押さえ１６は、ウインチ１４に引張られるシート１１の他方の端部１１ｂ側が堤内地側法面７及び堤内地４から離れるのを防ぐものである。つまり、これらの引張力付与部１５及びシート押さえ１６から成る密封機構は、シート１１を堤防１の堤内外地法面５，７及び天端６に沿って弛みなくそしてほとんど隙間なく展開させるようになっている。
【００２８】
この実施形態における堤防補強装置１０では、シート１１を複数枚備えており、これらの複数枚のシート１１は、堤防１の長手方向に並べて配置されて、Ｕ字溝１２からそれぞれ個別に引き出されて展開するものとなっている。なお、シート１１の枚数や個々のサイズ（長さ×幅）は、堤防１の補強エリアの大きさに応じて適宜決定される。
【００２９】
次に、このように構成された堤防補強装置１０による堤防補強要領を説明する。
【００３０】
まず、図３に示すように、堤防１の堤外地側法尻８にシート収納部であるＵ字溝１２を設置し、このＵ字溝１２に、堤防１の堤外地側法面５から堤内地側法面７を覆う複数のシート１１をそれぞれ円柱状に巻いた状態で収納する。
【００３１】
このとき、シート１１の一方の端部１１ａ側に配置した支持ピン１１ｃをＵ字溝１２に配置した支持台１３で支えるように成すことで、シート１１の一方の端部１１ａをＵ字溝１２に連結して固定し、通常は、図４（ａ）に示すように、シート１１を収納したＵ字溝１２の蓋１２ａを閉じておく。
【００３２】
一方、河川や海の水Ｗの急激な水位上昇による越流が生じる虞がある場合には、図４（ｂ）に示すように、Ｕ字溝１２の蓋１２ａを開放した後、ウインチ１４から引き出して堤防１を越させたワイヤ１４ａのフック１４ｂをシート１１の他方の端部１１ｂにおける係止孔１１ｄに引掛ける。
【００３３】
これに続いて、ウインチ１４を作動させて複数枚のシート１１をＵ字溝１２からそれぞれ引き出し、堤防１を覆うべくすべてのシート１１を展開させる。
【００３４】
そして、ウインチ１４の重さを利用して（固定部として機能させて）、堤外地側法面５，天端６及び堤内地側法面７を連続して覆った状態のシート１１における他方の端部１１ｂを堤内地４上に固定する。
【００３５】
この際、図４（ｃ）に示すように、密封機構の引張力付与部１５がシート１１に巻き取り方向の引張力を付与し、その一方で、ウインチ１４に引張られるシート１１の他方の端部１１ｂ側が堤内地側法面７及び堤内地４から離れるのをシート押さえ１６が防いでいるので、図１及び図２に示すように、シート１１は、堤防１の堤内外地法面５，７及び天端６に沿ってほとんど隙間なく展開することとなる。
【００３６】
したがって、この堤防補強装置１０において、堤防１に河川や海における水Ｗの越流Ｗａ（図１及び図２に仮想線で示す）が発生した場合であったとしても、堤防１の堤外地側法面５，天端６及び堤内地側法面７を覆った状態で展開しているシート１１が、越流Ｗａによる堤内地側法面７の侵食及びこれに続く堤内地側法尻９の洗掘を阻止するので、氾濫洪水の際における堤防１の決壊が回避されることとなる。
【００３７】
この堤防補強装置１０において、堤防１の堤外地側法尻８に設置したＵ字溝１２にシート１１を収納していると共に、シート１１の一方の端部１１ａをＵ字溝１２に連結させて固定している。加えて、シート１１で堤防１の堤外地側法面５，天端６及び堤内地側法面７を覆った時点で、シート１１における他方の端部１１ｂをウインチ１４の重さを利用して堤内地４上に固定している。
【００３８】
つまり、この堤防補強装置１０では、シート１１を堤防１まで搬送する時間が不要になると共に、堤防１で展開させたシート１１を迅速簡単に固定し得るので、河川や海の急激な水位上昇による越流Ｗａに対応し得ることとなる。
【００３９】
また、この堤防補強装置１０では、ウインチ１４によってシート１１をＵ字溝１２から引き出して展開させるようにしているので、補強作業性の向上が図られることとなる。
【００４０】
さらに、この堤防補強装置１０では、引張力付与部１５を有していると共に、この引張力付与部１５及びシート押さえ１６から成る密封機構を有しているので、展開して堤防１を覆うシート１１と、堤内外地法面５，７や天端６との間の隙間をほとんどなくし得ることとなる。
【００４１】
さらにまた、この堤防補強装置１０では、堤防１の長手方向に並べて配置される複数枚のシート１１を備えているので、補強エリア毎の大きさの違いに柔軟に対応し得ることとなる。
【００４２】
上記した実施形態に係る堤防補強装置１０では、堤防１の堤内外地法面５，７及び天端６に沿ってシート１１を隙間なく展開させる密封機構が、引張力付与部１５及びシート押さえ１６から成るものとしているが、これに限定されるものではなく、例えば、図５に示すように、シート１１の一方の端部１１ａと支持ピン１１ｃとの間に配置したゴムベルト２５（或いは図示はしないが引張ばね）を引張力付与部としてもよい。
【００４３】
また、上記した実施形態に係る堤防補強装置１０では、シート１１がＵ字溝１２に円柱状に巻かれた状態で収納される構成としているが、これに限定されるものではなく、例えば、図６（ａ）に示すように、シート１１をＵ字溝１２に折りたたんだ状態で収納する構成としてもよい。
【００４４】
この場合には、Ｕ字溝１２の隅に配置された支持台１３Ａと支持ピン１１ｃとで連結機構が構成され、図６（ｂ）にも示すように、密封機構の引張力付与部としてゴムベルト２５が採用される。
【００４５】
図７は、本発明のさらに他の実施形態に係る堤防補強装置を示している。
【００４６】
図７に示すように、この堤防補強装置３０が、先の実施形態に係る堤防補強装置１０と相違するところは、シート収納部としてのＵ字溝１２Ａを堤内地側法尻９に堤防１の長手方向に沿って設けた点、及び、シート１１の他方の端部１１ｂを固定する固定部として他方の端部１１ｂに結び付けられるおもり１９を採用した点にある。なお、本実施形態以外の形態として、おもり１９に替えて例えばアンカーを使用し得る。
【００４７】
この堤防補強装置３０において、河川や海の水Ｗの急激な水位上昇による越流が生じる虞がある場合には、Ｕ字溝１２Ａから引き出して堤防１を越させたシート１１の他方の端部１１ｂにおもり１９を結び付けた後、河川や海の水Ｗの中におもり１９を投げ入れて、堤防１を覆うべくシート１１を展開させる。
【００４８】
このとき、堤外地側法面５，天端６及び堤内地側法面７を連続して覆った状態のシート１１における他方の端部１１ｂは、おもり１９の重さにより堤外地３側で固定される。
【００４９】
そして、密封機構の引張力付与部１５がシート１１に巻き取り方向の引張力を付与し、その一方で、おもり１９に引張られるシート１１の他方の端部１１ｂ側が堤外地側法面５から離れるのをシート押さえ１６が防いでいるので、シート１１は、堤防１の堤内外地法面５，７及び天端６に沿ってほとんど隙間なく展開することとなる。
【００５０】
したがって、この堤防補強装置３０においても、堤防１に越流が発生した場合であったとしても、堤防１の堤外地側法面５，天端６及び堤内地側法面７を覆った状態で展開しているシート１１が、越流による堤内地側法面７の侵食及びこれに続く堤内地側法尻９の洗掘を阻止するので、氾濫洪水の際における堤防１の決壊が回避されることとなる。
【００５１】
この堤防補強装置３０では、堤防１の堤内地側法尻９に設置したＵ字溝１２Ａにシート１１を収納していると共に、シート１１の一方の端部１１ａをＵ字溝１２Ａに連結させて固定しているうえ、シート１１で堤防１の堤外地側法面５，天端６及び堤内地側法面７を覆った時点で、シート１１における他方の端部１１ｂをおもり１９の重さを利用して堤外地３側に固定している。
【００５２】
つまり、この堤防補強装置３０においても、シート１１を堤防１まで搬送する時間が不要になると共に、堤防１で展開させたシート１１を迅速簡単に固定し得るので、河川や海の急激な水位上昇による越流に対応し得ることとなる。
【００５３】
また、この堤防補強装置３０では、シート１１をＵ字溝１２Ａから引き出して展開させるのにウインチ１４を使用しないので、補強コストの低減が図られることとなる。
【００５４】
図８及び図９は、本発明のさらに他の実施形態に係る堤防補強装置を示している。
【００５５】
図８に示すように、この堤防補強装置４０では、シート収納部としてのＵ字溝１２Ｂを天端６に堤防１の長手方向に沿って設けている。図９（ａ）に示すように、蓋１２ｂで閉塞されるＵ字溝１２Ｂには、２枚のシート１１，１１がそれぞれ円柱状に巻いた状態で収納され、先の実施形態に係る堤防補強装置１０と同様に、両シート１１の各一方の端部１１ａ，１１ａは、支持ピン１１ｃ及び支持台１３から成る連結機構を介してＵ字溝１２Ｂに連結されて固定されている。
【００５６】
また、この堤防補強装置４０において、堤内地４側（図９左側）のシート１１における他方の端部１１ｂには、ウインチ１４のワイヤ１４ａのフック１４ｂと係止して接続する係止孔１１ｄが設けられており、堤内地４側のシート１１は、ウインチ１４によりＵ字溝１２Ｂから引き出されて天端６及び堤内地側法面７側で展開し、他方の端部１１ｂは、ウインチ１４によって堤内地４上に固定される。
【００５７】
一方、堤外地３側（図９右側）のシート１１は、Ｕ字溝１２Ｂから引き出されて天端６及び堤外地側法面５側で展開し、他方の端部１１ｂの係止孔１１ｄに結び付けられるおもり１９の重さを利用して他方の端部１１ｂは堤外地３側に固定される。
【００５８】
そして、図９（ｂ）に示すように、堤内地４側のシート１１には、密封機構の引張力付与部１５により巻き取り方向の引張力が付与される一方で、ウインチ１４により引張られるシート１１の他方の端部１１ｂ側が堤内地側法面７及び堤内地４から離れるのをシート押さえ１６が防いでいるので、堤内地４側のシート１１は、堤防１の堤内地法面７及び天端６に沿ってほとんど隙間なく展開することとなる。
【００５９】
堤外地３側のシート１１にも、密封機構の引張力付与部１５により巻き取り方向の引張力が与される一方で、おもり１９に引張られるシート１１の他方の端部１１ｂ側が堤外地側法面５から離れるのをシート押さえ１６が防いでいるので、堤外地３側のシート１１は、堤防１の堤外地法面５及び天端６に沿ってほとんど隙間なく展開することとなる。
【００６０】
したがって、この堤防補強装置４０においても、堤防１に越流が発生した場合であったとしても、堤防１の堤外地側法面５，天端６及び堤内地側法面７を覆った状態で展開しているシート１１，１１が、越流による堤内地側法面７の侵食及びこれに続く堤内地側法尻９の洗掘を阻止するので、氾濫洪水の際における堤防１の決壊が回避されることとなる。
【００６１】
この堤防補強装置４０では、堤防１の天端６に設置したＵ字溝１２Ｂにシート１１，１１を収納していると共に、両シート１１，１１の各一方の端部１１ａ，１１ａをＵ字溝１２Ｂにそれぞれ連結させて固定しているうえ、シート１１で堤防１の堤外地側法面５，天端６及び堤内地側法面７を覆った時点で、シート１１，１１における各他方の端部１１ｂ，１１ｂをウインチ１４及びおもり１９の各重さを利用して堤内地４及び堤外地３側にそれぞれ固定している。
【００６２】
つまり、この堤防補強装置４０においても、シート１１，１１を堤防１まで搬送する時間が不要になると共に、堤防１で展開させたシート１１，１１を迅速簡単に固定し得るので、河川や海の急激な水位上昇による越流に対応し得ることとなる。
【００６３】
また、この堤防補強装置４０では、シート収納部としてのＵ字溝１２Ｂを天端６に設けて堤外地側法面５用のシート１１及び堤内地側法面７用シート１１の２枚のシート１１，１１を収納するようにしているので、堤内外地方向の距離が長い堤防１を補強する場合に、１枚のシート１１が長くなり過ぎるのを抑えることができる。
【００６４】
本発明に係る堤防補強装置の構成は、上記した実施形態に限られるものではなく、発明の趣旨を逸脱しない範囲で種々変形可能である。例えば、シート１１を円滑に展開させるガイド機構を設けたりしてもよい。
【符号の説明】
【００６５】
１      堤防
３      堤外地
４      堤内地
５      堤外地側法面
６      天端
７      堤内地側法面
８      堤外地側法尻
９      堤内地側法尻
１０，３０，４０    堤防補強装置
１１    シート
１１ａ  シートの一方の端部（シートの一端）
１１ｂ  シートの他方の端部（シートの他端）
１１ｃ  支持ピン（連結機構）
１２，１２Ａ，１２Ｂ    Ｕ字溝（シート収納部）
１３，１３Ａ  支持台（連結機構）
１４    ウインチ（シート駆動源；固定部）
１５    引張力付与部（密封機構）
１６    シート押さえ（密封機構）
１９    おもり（固定部）
２５    ゴムベルト（引張力付与部；密封機構）
Ｗａ    越流
【図１】
2018168571.tif 000003
【図２】
2018168571.tif 000004
【図３】
2018168571.tif 000005
【図４】
2018168571.tif 000006
【図５】
2018168571.tif 000007
【図６】
2018168571.tif 000008
【図７】
2018168571.tif 000009
【図８】
2018168571.tif 000010
【図９】
2018168571.tif 000011